(57)【特許請求の範囲】
【請求項１】
互いに対向する正面壁部および背面壁部と互いに対向する一対の側面壁部からなる角筒部と、
前記正面壁部の天面側端縁から延びる第１の外フラップと、
前記背面壁部の天面側端縁から延びる第２の外フラップと、
前記角筒部の底面を閉じると共に複数の商品が平積みされる底面壁部と
を含み、前記第１の外フラップおよび前記第２の外フラップをそれぞれ前記正面壁部および前記背面壁部に対し折り曲げて互いに突き合わせることにより前記角筒部の天面が閉じられ、
前記正面壁部の一部から前記第１の外フラップを通り前記第２の外フラップの一部にまで連続し且つ前記背面壁部の天面側端縁との間に間隔を隔てるように配置された切り取り部分を切除可能とする破断誘導線を有する段ボール箱を、
前記破断誘導線により前記切り取り部分を切除して開口部を形成し、前記正面壁部が上方を向くと共に前記背面壁部が下方を向くように９０度回転させた姿勢で前記開口部を通して前記複数の商品を展示することを特徴とする商品展示方法。
【請求項２】
前記破断誘導線は、それぞれの前記側面壁部までの距離の最小値が前記一対の側面壁部の間隔に対して７〜２５％となるように配置されている請求項１に記載の商品展示方法。
【請求項３】
前記一対の側面壁部の天面側端縁からそれぞれ内フラップ長さだけ延びる一対の内フラップを含み、
前記内フラップ長さは、前記破断誘導線からそれぞれの前記側面壁部までの距離の最小値と同等の長さ、あるいは、最小値よりも短い請求項１または２に記載の商品展示方法。
【請求項４】
前記第１の外フラップおよび前記第２の外フラップは、互いの突き合わせ部に沿うと共に前記角筒部の天面から前記一対の側面壁部にかけて延びる粘着テープにより固定されている請求項１〜３のいずれか一項に記載の商品展示方法。
【請求項５】
前記粘着テープは、前記突き合わせ部に直交する方向に比べて前記突き合わせ部に沿う方向により高い耐引き裂き性を有する請求項４に記載の商品展示方法。
【請求項６】
前記第１の外フラップに配置された前記破断誘導線と前記第２の外フラップに配置された前記破断誘導線は、前記突き合わせ部において、互いに前記突き合わせ部に沿う方向にずれている請求項５に記載の商品展示方法。
【請求項７】
前記破断誘導線の一部に、前記切り取り部分の切除を開始するための押し込み部が形成されている請求項１〜６のいずれか一項に記載の商品展示方法。
【請求項８】
前記破断誘導線は、互いに離間した一対の端部を有し、前記一対の端部にそれぞれ切り込み部が形成されると共に双方の前記切り込み部の間の段ボール紙に前記切り取り部分の切除を開始するためのカットテープが貼り付けられている請求項１〜６のいずれか一項に記載の商品展示方法。
【請求項９】
請求項１〜８のいずれか一項に記載の商品展示方法に用いられる段ボール箱。
【発明の詳細な説明】
【技術分野】
【０００１】
この発明は、段ボール箱に係り、特に、袋菓子またはレトルトパウチのような袋詰め商品、スタンドパウチ商品等を収納する段ボール箱に関する。
【背景技術】
【０００２】
従来、袋菓子またはレトルトパウチのような袋詰め商品、スタンドパウチ商品等の、柔らかい外装を有し、形状が変化しやすい商品は、天面にフラップを有する、いわゆるＡ型段ボール箱（通称、ミカン箱形状）に収納して輸送し、店頭で段ボール箱を開梱して陳列棚に並べるという展示販売方法が採用されてきた。
また、人件費の節約および廃棄ゴミの低減のため、輸送に用いられた段ボール箱の一部を切り欠いて開口部を形成し、商品を段ボール箱から陳列棚に並べ直すことなく、段ボール箱ごと棚に陳列して商品の展示、取出しを行う販売形態も採られるようになってきている。
【０００３】
特許文献１には、箱の正面側および背面側に開口部を設け、商品を露出させた状態で積み上げて大量陳列を可能にする段ボール箱が開示されている。しかしながら、特許文献１の段ボール箱は、開口範囲が狭いため商品を取り出しにくく、また、袋詰め商品は製造工程上、天面側から積み重ねて梱包するため、正面側および背面側に形成された開口部を通して商品の側面しか見ることができず、商品の展示性に著しく劣るものであった。
特許文献２〜４には、正面側から天面側にかけて大きな開口部を有する段ボール箱が開示されている。しかしながら、これらの段ボール箱は、単体で展示することを志向したものであり、段ボール箱を開口したまま積み上げることができない。このため、段ボール箱の高さに合わせた棚を設置する必要があるものであった。
【０００４】
特許文献５には、側面側から天面側にかけて大きな開口部を有する段ボール箱が開示されている。しかしながら、この段ボール箱は、側面側から延びる内フラップと正面側および背面側から延びる外フラップを一体で切り離すために、糊付けで精度よく段ボール箱を製造する必要があり、また、内フラップおよび外フラップの切り離しに大きな力が必要となるものであった。
特許文献６〜７には、天面側から正面側にかけて大きな開口部を有するラップラウンド型の段ボール箱が開示されている。しかしながら、袋詰め商品などの柔らかい商品は、製造工程上、ラップラウンド型の段ボール箱で梱包することは困難である。
【先行技術文献】
【特許文献】
【０００５】
【特許文献１】実用新案登録第３０８２５４０号公報
【特許文献２】実用新案登録第３１７０７８５号公報
【特許文献３】実用新案登録第３１８３５７５号公報
【特許文献４】特許第４５１８８４０号公報
【特許文献５】特開２０１４−７６８５１号公報
【特許文献６】実用新案登録第３１７６４７５号公報
【特許文献７】特開２００８−２９７００３号公報
【発明の概要】
【発明が解決しようとする課題】
【０００６】
この発明は、このような従来の問題点を解消するためになされたもので、形状が変化しやすい商品の輸送および保管を行うことができると共に販売時に商品を見栄えよく展示し且つ積み重ねて陳列することができる段ボール箱を提供することを目的とする。
【課題を解決するための手段】
【０００７】
この発明に係る商品展示方法は、互いに対向する正面壁部および背面壁部と互いに対向する一対の側面壁部からなる角筒部と、正面壁部の天面側端縁から延びる第１の外フラップと、背面壁部の天面側端縁から延びる第２の外フラップと、角筒部の底面を閉じると共に複数の商品が平積みされる底面壁部とを含み、第１の外フラップおよび第２の外フラップをそれぞれ正面壁部および背面壁部に対し折り曲げて互いに突き合わせることにより角筒部の天面が閉じられ、正面壁部の一部から第１の外フラップを通り第２の外フラップの一部にまで連続し且つ背面壁部の天面側端縁との間に間隔を隔てるように配置された切り取り部分を切除可能とする破断誘導線を有する段ボール箱を、破断誘導線により切り取り部分を切除して開口部を形成し、正面壁部が上方を向くと共に背面壁部が下方を向くように９０度回転させた姿勢で開口部を通して複数の商品を展示する方法である。
【０００８】
破断誘導線は、それぞれの側面壁部までの距離の最小値が一対の側面壁部の間隔に対して７〜２５％となるように配置されていることが好ましい。
また、一対の側面壁部の天面側端縁からそれぞれ内フラップ長さだけ延びる一対の内フラップを含み、内フラップ長さは、破断誘導線からそれぞれの側面壁部までの距離の最小値よりも短いことが好ましい。
【０００９】
第１の外フラップおよび第２の外フラップは、互いの突き合わせ部に沿うと共に角筒部の天面から一対の側面壁部にかけて延びる粘着テープにより固定されていることが好ましい。
好ましくは、粘着テープは、突き合わせ部に直交する方向に比べて突き合わせ部に沿う方向により高い耐引き裂き性を有する。
さらに、第１の外フラップに配置された破断誘導線と第２の外フラップに配置された破断誘導線は、突き合わせ部において、互いに突き合わせ部に沿う方向にずれていることが好ましい。
また、破断誘導線の一部に、切り取り部分の切除を開始するための押し込み部が形成されることが好ましい。あるいは、破断誘導線が、互いに離間した一対の端部を有し、一対の端部にそれぞれ切り込み部が形成されると共に双方の切り込み部の間の段ボール紙に切り取り部分の切除を開始するためのカットテープが貼り付けられていることが好ましい。
この発明に係る段ボール紙は、上記の商品展示方法に用いられる段ボール紙である。
【発明の効果】
【００１０】
この発明によれば、正面壁部の一部から第１の外フラップを通り第２の外フラップの一部にまで連続する切り取り部分を切除可能とする破断誘導線を有し、破断誘導線により切り取り部分を切除して開口部を形成し、正面壁部が上方を向くと共に背面壁部が下方を向くように９０度回転させた姿勢で開口部を通して複数の商品を展示するので、形状が変化しやすい商品の輸送および保管を行うことができると共に販売時に商品を見栄えよく展示し且つ積み重ねて陳列することが可能となる。
【図面の簡単な説明】
【００１１】
【図１】この発明の実施の形態１に係る段ボール箱を正面側から見た斜視図である。
【図２】実施の形態１に係る段ボール箱を背面側から見た斜視図である。
【図３】実施の形態１に係る段ボール箱の展開図である。
【図４】段ボール箱から切除された切り取り部分を示す図である。
【図５】切り取り部分を切除して開口部を形成した実施の形態１に係る段ボール箱を示す斜視図である。
【図６】段ボール箱の内部に収納される商品を示す斜視図である。
【図７】複数の商品を保管する際の実施の形態１に係る段ボール箱を示す斜視図である。
【図８】複数の商品を展示する際の実施の形態１に係る段ボール箱を示す斜視図である。
【図９】実施の形態２に係る段ボール箱の要部を示す部分平面図である。
【図１０】実施の形態３に係る段ボール箱の展開図である。
【発明を実施するための形態】
【００１２】
以下、この発明の実施の形態を添付図面に基づいて説明する。
実施の形態１
図１および図２に、この発明の実施の形態１に係る段ボール箱１を示す。
段ボール箱１は、直方体形状を有しており、互いに対向する正面壁部２および背面壁部３と互いに対向する一対の側面壁部４および５からなる角筒部Ｓと、角筒部Ｓの天面を閉じる天面壁部６および角筒部Ｓの底面を閉じる底面壁部７を備えている。
【００１３】
この段ボール箱１は、いわゆるＡ型の段ボール箱で、例えば、図３に示されるような１枚の段ボール紙Ｐを折り曲げ、端部同士を接合または固定することで形成されている。段ボール紙Ｐにおいては、背面壁部３、側面壁部５、正面壁部２、側面壁部４および糊代部８が順次折り曲げ線を介して直線状に連結されている。
ここで、便宜上、段ボール紙ＰがＸＹ平面上に延び、背面壁部３、側面壁部５、正面壁部２、側面壁部４および糊代部８がＸ方向に連結されるものとする。
【００１４】
正面壁部２および背面壁部３の＋Ｙ方向側の端縁に、それぞれ、＋Ｙ方向に延びる上側外フラップ２Ａ（第１の外フラップ）および上側外フラップ３Ａ（第２の外フラップ）が連結され、正面壁部２および背面壁部３の−Ｙ方向側の端縁に、それぞれ、−Ｙ方向に延びる下側外フラップ２Ｂおよび下側外フラップ３Ｂが連結されている。また、一対の側面壁部４および５の＋Ｙ方向側の端縁に、それぞれ、＋Ｙ方向に延びる上側内フラップ４Ａおよび上側内フラップ５Ａが連結され、一対の側面壁部４および５の−Ｙ方向側の端縁に、それぞれ、−Ｙ方向に延びる下側内フラップ４Ｂおよび下側内フラップ５Ｂが連結されている。
【００１５】
Ｘ方向に連結されている背面壁部３、側面壁部５、正面壁部２、側面壁部４および糊代部８をそれぞれの境界部分で直角に折り曲げ、糊代部８を背面壁部３の内側に接着することにより、角筒部Ｓが形成される。
さらに、上側内フラップ４Ａおよび上側内フラップ５Ａをそれぞれ側面壁部４および側面壁部５に対して直角に折り曲げた後、上側外フラップ２Ａおよび上側外フラップ３Ａをそれぞれ正面壁部２および背面壁部３に対して直角に折り曲げ、上側外フラップ２Ａの端部と上側外フラップ３Ａの端部を互いに突き合わせることで、図１および図２に示されるように、角筒部Ｓの天面を閉じる天面壁部６が形成される。
上側外フラップ２Ａおよび上側外フラップ３Ａは、一方の側面壁部４からこれら上側外フラップ２Ａおよび上側外フラップ３Ａの突き合わせ部分に沿って他方の側面壁部５にまで粘着テープＴを貼り付けることにより、角筒部Ｓに固定される。
【００１６】
同様に、下側内フラップ４Ｂおよび下側内フラップ５Ｂをそれぞれ側面壁部４および側面壁部５に対して直角に折り曲げると共に下側外フラップ２Ｂおよび下側外フラップ３Ｂをそれぞれ正面壁部２および背面壁部３に対して直角に折り曲げることで、角筒部Ｓの底面を閉じる底面壁部７が形成される。
下側外フラップ２Ｂおよび下側外フラップ３Ｂは、上側外フラップ２Ａおよび上側外フラップ３Ａと同様に、粘着テープＴにより固定することができる。あるいは、いわゆるワンタッチ式、アメリカンロック式等の段ボール箱に用いられる種々の方法で角筒部Ｓの底面を閉じることもできる。
【００１７】
さらに、段ボール箱１の正面壁部２と天面壁部６には、正面壁部２の一部から天面壁部６の上側外フラップ２Ａを通り上側外フラップ３Ａの一部にまで連続する切り取り部分Ｃを囲む破断誘導線Ｂが形成されている。破断誘導線Ｂは、カッター等の道具あるいは治具を用いることなく、作業者が手で容易に段ボール紙を破断し得るようにしたもので、破断誘導線Ｂに沿って段ボール紙を破断することで、図４に示される切り取り部分Ｃが切除され、その結果、段ボール箱１に図５に示されるような開口部Ｄが形成されるように構成されている。
なお、破断誘導線Ｂは、段ボール紙の表面から裏面まで貫通したミシン目状の線でもよく、あるいは、段ボール紙の裏面と中身の波材のみ切断されている切込み線であってもよい。図１に示されるように、正面壁部２に配置された破断誘導線Ｂの一部には、押し込み部Ｂ１が形成されており、この押し込み部Ｂ１を指で押して、段ボール紙を破断した後、破断箇所から破断誘導線Ｂに沿って段ボール紙を押し込む、あるいは、引っ張ることにより、開口部Ｄを形成することができる。
【００１８】
また、図３に示されるように、破断誘導線Ｂは、正面壁部２と上側外フラップ２Ａと上側外フラップ３Ａにわたって形成されるが、破断誘導線Ｂからそれぞれの側面壁部４および５までの距離の最小値Ｌ１が、一対の側面壁部４および５の間隔Ｌ２に対して７〜２５％の範囲内となるように配置されている。すなわち、図５に示されるように、破断誘導線Ｂに沿って切り取り部分Ｃを切除して開口部Ｄを形成したときに、開口部Ｄからそれぞれの側面壁部４および５までの間に残存部Ｚが形成され、残存部Ｚが、上側外フラップ２Ａおよび上側外フラップ３Ａの突き合わせ部分に沿った段ボール箱１の長さＬ２に対して少なくとも７〜２５％の値Ｌ１の幅を有している。これにより、開口部Ｄが形成されても、段ボール箱１としての強度を確保し得るように構成されている。
【００１９】
なお、上側外フラップ２Ａおよび上側外フラップ３Ａの残存部Ｚの下には、側面壁部４の天面側端縁から直角に折り曲げられた上側内フラップ４Ａおよび側面壁部５の天面側端縁から直角に折り曲げられた上側内フラップ５Ａが位置しているが、図３に示されるように、これら側面壁部４および５の天面側端縁からそれぞれ延びる上側内フラップ４Ａおよび５Ａの内フラップ長さＬ３が、破断誘導線Ｂからそれぞれの側面壁部４および５までの距離の最小値Ｌ１と同等の長さ、あるいは、最小値Ｌ１よりも短く設定されている。このため、上側内フラップ４Ａおよび５Ａが開口部Ｄ内に突出することが防止されている。
【００２０】
また、上側外フラップ２Ａおよび上側外フラップ３Ａの突き合わせ部分が粘着テープＴにより接合されているため、開口部Ｄを形成する際の切り取り部分Ｃは、粘着テープＴで一体化されており、簡便に切り取り部分Ｃを切除して開口部Ｄを形成することができる上、切れ端のような余剰物の発生も少ない。
粘着テープＴは、上側外フラップ２Ａおよび上側外フラップ３Ａの突き合わせ部に直交する方向に比べて突き合わせ部に沿う方向により高い耐引き裂き性を有するものが好ましい。このような粘着テープＴであれば、上側外フラップ２Ａおよび上側外フラップ３Ａの封止力を維持しつつ、切り取り部分Ｃを切除する際に粘着テープＴが破断誘導線Ｂに沿って切れやすく、開口部Ｄの形成がさらに容易となる。
【００２１】
なお、粘着テープＴを用いずに、上側外フラップ２Ａおよび上側外フラップ３Ａをそれぞれ上側内フラップ４Ａおよび５Ａに糊付けすることもできるが、上側外フラップ２Ａおよび上側外フラップ３Ａが互いに接合されないので、切り取り部分Ｃを切除する際に上側外フラップ２Ａと上側外フラップ３Ａとで破断操作が分断され、開口部Ｄの形成が煩雑になってしまう。
【００２２】
ここで、段ボール箱１に収納される商品１０を図６に示す。この商品１０は、例えば袋菓子またはレトルトパウチのような袋詰め商品で、頂部１０Ａと底部１０Ｂを有すると共に、正面部１０Ｃに商品１０を表す表示が描画、あるいは、ステッカー等が貼付されているものとする。
このような商品１０は、外装が柔らかく、形状が変化しやすいため、起立させた状態で段ボール箱に収納して保管および搬送等を行うと、商品１０の位置ずれおよび姿勢の崩れを発生するおそれが大きい。
【００２３】
そこで、段ボール箱１の天面側を開放した状態で、図７に示されるように、段ボール箱１の底面壁部７上に複数の商品１０を平積みする。このとき、それぞれの商品１０の頂部１０Ａが正面壁部２に近接すると共に底部１０Ｂが背面壁部３に近接し、正面部１０Ｃが天面側すなわち上側外フラップ２Ａおよび上側外フラップ３Ａに対向するような向きで複数の商品１０を段ボール箱１内に収納する。そして、上側内フラップ４Ａおよび上側内フラップ５Ａを段ボール箱１の内側に折り曲げた後、上側外フラップ２Ａおよび上側外フラップ３Ａで段ボール箱１の天面を閉じ、粘着テープＴで固定する。なお、このとき、切り取り部分Ｃはまだ切除されておらず、開口部Ｄは形成されていないものとする。
【００２４】
このように、複数の商品１０を段ボール箱１の天面側から平積みし、上側外フラップ２Ａおよび上側外フラップ３Ａを閉じて粘着テープＴで固定するので、形状が変化しやすい商品１０を容易に梱包することができ、また、梱包の機械化、自動化も容易となる。
複数の商品１０が収納された段ボール箱１は、天面の上側外フラップ２Ａおよび上側外フラップ３Ａが上方を向くと共に底面壁部７が下方を向いた姿勢のまま、保管および搬送等が行われる。このため、複数の段ボール箱１を積み重ねてもつぶれにくく、形状が変化しやすい商品１０を安全且つ容易に保管および搬送することができる。
また、段ボール箱１は、いわゆるＡ型の段ボール箱であるので、汎用性および製造の容易さに優れている。
【００２５】
店頭で商品１０を販売する際には、破断誘導線Ｂにより切り取り部分Ｃを切除して開口部Ｄを形成し、図８に示されるように、正面壁部２が上方を向くと共に背面壁部３が下方を向くように段ボール箱１を９０度回転させ、複数の商品１０を段ボール箱１内に収納した状態のまま、開口部Ｄを通して複数の商品１０を展示する。
それぞれの商品１０は、頂部１０Ａが正面壁部２に近接すると共に底部１０Ｂが背面壁部３に近接し、正面部１０Ｃが上側外フラップ２Ａおよび上側外フラップ３Ａに対向するような向きで段ボール箱１内に収納されているので、図８に示されるように段ボール箱１を９０度回転させると、商品１０の頂部１０Ａが上方を向き、正面部１０Ｃが開口部Ｄを通して露出することとなる。このため、段ボール箱１を開梱して商品１０を陳列棚に並べ直さなくても、見栄えのよい展示を行うことができると共に開口部Ｄを通して商品１０を段ボール箱１から容易に取り出すことが可能となる。
【００２６】
なお、図７に示すように、天面が上方を向くように段ボール箱１を載置した状態で、正面壁部２の押し込み部Ｂ１から破断誘導線Ｂに沿って段ボール紙を天面側に引っ張って開口部Ｄを形成した後に段ボール箱１を９０度回転させてもよく、あるいは、段ボール箱１を９０度回転させて正面壁部２を上方に向けた後に破断誘導線Ｂに沿って開口部Ｄを形成してもよい。
このとき、粘着テープＴが上側外フラップ２Ａおよび上側外フラップ３Ａの突き合わせ部に直交する方向に比べて突き合わせ部に沿う方向により高い耐引き裂き性を有するものであれば、粘着テープＴが破断誘導線Ｂに沿って切れやすく、容易に切り取り部分Ｃを切除して開口部Ｄを形成することができる。
【００２７】
また、図５に示したように、開口部Ｄからそれぞれの側面壁部４および５までの間に、上側外フラップ２Ａおよび上側外フラップ３Ａの突き合わせ部分に沿った段ボール箱１の長さＬ２に対して７〜２５％の範囲内の幅Ｌ１を有する残存部Ｚが形成され、さらに、残存部Ｚの下に上側内フラップ４Ａおよび５Ａが折り曲げられている。このため、開口部Ｄが形成された状態でも段ボール箱１としての強度が確保されており、図８のように９０度回転させた複数の段ボール箱１を積み重ねて陳列することが可能となる。
【００２８】
商品１０として自立型のスタンドパウチ商品を用いた場合も、同様に、底面壁部７上に複数の商品１０を平積みし、段ボール箱１の天面を上方に向けた状態で保管および搬送を行い、販売時には、開口部Ｄを形成すると共に段ボール箱１を９０度回転させた状態で開口部Ｄを通して段ボール箱１内の商品１０を展示することができる。
従って、商品を自立した状態で収納するための専用の段ボール箱を用いる必要もなく、また、段ボール箱内に仕切り板を設置する必要もなく、スタンドパウチ商品を安全且つ容易に保管および搬送することができると共に見栄えのよい展示を行うことが可能となる。
【００２９】
実施の形態２
破断誘導線Ｂは、上側外フラップ２Ａから上側外フラップ３Ａに連続して形成されるが、図９に示されるように、上側外フラップ２Ａに配置された破断誘導線Ｂと上側外フラップ３Ａに配置された破断誘導線Ｂを、上側外フラップ２Ａと上側外フラップ３Ａの突き合わせ部において、互いに突き合わせ部に沿う方向に例えばずれ量ΔＬだけずらすことができる。
このようにすれば、破断誘導線Ｂに沿って段ボール紙を破断する際に、ずれ量ΔＬに起因して、突き合わせ部の上に貼り付けられている粘着テープＴに作用する剪断力にひねりが生じ、より容易に粘着テープＴを切断して開口部Ｄを形成することができる。
ずれ量ΔＬの値は、粘着テープＴの強度および引き裂き性に基づいて設定すればよく、例えば±１０ｍｍの範囲内とすることができる。
【００３０】
実施の形態３
上記の実施の形態１では、正面壁部２に配置された破断誘導線Ｂの一部に、段ボール紙の破断を開始するための押し込み部Ｂ１が形成されていたが、背面壁部３の天面側端縁から延びる上側外フラップ３Ａに配置された破断誘導線Ｂの一部に押し込み部Ｂ１を形成してもよい。
さらに、図１０に示されるように、破断誘導線Ｂが、正面壁部２上に互いに離間した一対の端部を有し、これらの端部にそれぞれ切り込み部Ｂ２を形成すると共に双方の切り込み部Ｂ２の間の段ボール紙にカットテープＣＴを貼り付けておき、一方の切り込み部Ｂ２から段ボール紙を掴んで引っ張ることで、カットテープＣＴにより他方の切り込み部Ｂ２まで段ボール紙を破断することもできる。この破断箇所から破断誘導線Ｂに沿って段ボール紙を引っ張ることで、開口部Ｄを形成することができる。
このような切り込み部Ｂ２およびカットテープＣＴを背面壁部３の天面側端縁から延びる上側外フラップ３Ａに配置してもよい。
【００３１】
なお、この発明の段ボール箱のサイズは、特に制限されるものではなく、収納する商品の大きさ、個数、重量、流通の形態、商品棚のサイズ等に基づいて適宜決定することができる。例えば、正面壁部２から見て、幅１０〜８０ｃｍ、高さ８〜６０ｃｍ、奥行１０〜８０ｃｍ程度のサイズの段ボール箱とすることができる。
【符号の説明】
【００３２】
１  段ボール箱、２  正面壁部、２Ａ，３Ａ  上側外フラップ、２Ｂ，３Ｂ  下側外フラップ、３  背面壁部、４，５  側面壁部、４Ａ，５Ａ  上側内フラップ、４Ｂ，５Ｂ  下側内フラップ、６  天面壁部、７  底面壁部、８  糊代部、１０  商品、１０Ａ  頂部、１０Ｂ  底部、１０Ｃ  正面部、Ｓ  角筒部、Ｐ  段ボール紙、Ｔ  粘着テープ、Ｂ  破断誘導線、Ｂ１  押し込み部、Ｂ２  切り込み部、Ｃ  切り取り部分、Ｄ  開口部、Ｚ  残存部、Ｌ１  残存部の幅、Ｌ２  一対の側面壁部の間隔、Ｌ３  内フラップ長さ、ΔＬ  ずれ量、ＣＴ  カットテープ。
【図１】
0006712842.tif 000002
【図２】
0006712842.tif 000003
【図３】
0006712842.tif 000004
【図４】
0006712842.tif 000005
【図５】
0006712842.tif 000006
【図６】
0006712842.tif 000007
【図７】
0006712842.tif 000008
【図８】
0006712842.tif 000009
【図９】
0006712842.tif 000010
【図１０】
0006712842.tif 000011